(57)【要約】【課題】照明器具などの給電部に取り付けるだけで外観を容易に変更することができ、かつ、汎用性の高い照明用光源を提供する。【解決手段】照明用光源は、発光モジュール１０を有するランプ本体１００と、ランプ本体１００の外方、かつ、発光モジュール１０の光出射面側に設けられたカバー１０１と、ランプ本体１００の外側面に設けられた、ランプ本体１００に対するカバー１０１の位置を調整するための雄ねじ部６１とを備える。【選択図】図２
2016152212.tif 000002
【特許請求の範囲】
【請求項１】
発光モジュールを備えるランプ本体と、
前記ランプ本体の外方、かつ、前記発光モジュールの光出射面側に設けられたカバーと、
前記ランプ本体の外側面に設けられた、前記ランプ本体に対する前記カバーの位置を調整するための位置調整部とを備える
照明用光源。
【請求項２】
前記位置調整部は、前記ランプ本体の外側面に設けられた雄ねじ部を有し、
前記カバーは、前記雄ねじ部に螺合する雌ねじ部を有する
請求項１に記載の照明用光源。
【請求項３】
前記雄ねじ部及び前記雌ねじ部の少なくとも一方は、前記雄ねじ部と前記雌ねじ部とを螺合させる際の回転を規制する規制部を有し、
前記規制部は、回転方向に所定の力以下の力が加えられた場合に前記回転を規制し、前記所定の力より大きな力が加えられた場合に前記回転を規制しない
請求項２に記載の照明用光源。
【請求項４】
前記規制部は、前記雄ねじ部のねじの山若しくは谷に設けられた外方に突出する凸部、又は、前記雌ねじ部のねじの山若しくは谷に設けられた内方に突出する凸部である
請求項３に記載の照明用光源。
【請求項５】
前記位置調整部は、少なくとも一部が前記ランプ本体の外側面及び前記カバーの一方に固定された紐部を有する
請求項１に記載の照明用光源。
【請求項６】
前記位置調整部は、前記ランプ本体の外側面から光出射方向に延伸した棒部を有する
請求項１に記載の照明用光源。
【請求項７】
前記位置調整部は、前記ランプ本体と一体に形成されている
請求項１〜６のいずれか１項に記載の照明用光源。
【請求項８】
前記ランプ本体は、
前記発光モジュールを保持する筐体と、
前記発光モジュールの光出射面側に設けられた透光性を有するグローブとを備え、
前記位置調整部は、前記筐体の外側面に設けられている
請求項７に記載の照明用光源。
【請求項９】
前記位置調整部は、前記ランプ本体とは別体である
請求項１〜６のいずれか１項に記載の照明用光源。
【請求項１０】
前記位置調整部は、前記カバーを前記ランプ本体に取り付けるための、前記ランプ本体の外側面に設けられた着脱可能なカバー取付具である
請求項９に記載の照明用光源。
【請求項１１】
発光モジュールを備えるランプ本体と、
前記ランプ本体の外側面に設けられた、前記ランプ本体に対するカバーの位置を調整するための位置調整部とを備え、
前記カバーは、前記ランプ本体の外方、かつ、前記発光モジュールの光出射面側に設けられる
照明用光源。
【発明の詳細な説明】
【技術分野】
【０００１】
本発明は、照明用光源に関する。
【背景技術】
【０００２】
従来、発光ダイオード（ＬＥＤ：Ｌｉｇｈｔ  Ｅｍｉｔｔｉｎｇ  Ｄｉｏｄｅ）などの半導体発光素子は、小型、高効率及び長寿命であることから、様々な製品の光源として期待されている。
【０００３】
例えば、ＬＥＤは、電球形ＬＥＤランプ（ＬＥＤ電球）若しくは直管ＬＥＤランプなどの照明用光源、又は、シーリングライト若しくはダウンライトなどの天井に設置される照明器具などに用いられている。例えば、特許文献１には、従来のＬＥＤを用いた照明装置が開示されている。
【先行技術文献】
【特許文献】
【０００４】
【特許文献１】特開２０１４−１６５０２１号公報
【発明の概要】
【発明が解決しようとする課題】
【０００５】
ところで、近年、ダウンライトなどの外観を変更したいという要望がある。従来では、外観を変更するためには、照明器具の取り替えが必要となり、非常に煩雑な作業が必要となる。また、照明器具を取り替えずに、ランプのみを交換することが考えられる。しかしながら、この場合、使用可能なランプが既存の照明器具に適合可能なものに限られる。
【０００６】
そこで、本発明は、照明器具などの給電部に取り付けるだけで外観を容易に変更することができ、かつ、汎用性の高い照明用光源を提供することを目的とする。
【課題を解決するための手段】
【０００７】
上記目的を達成するため、本発明の一態様に係る照明用光源は、発光モジュールを備えるランプ本体と、前記ランプ本体の外方、かつ、前記発光モジュールの光出射面側に設けられたカバーと、前記ランプ本体の外側面に設けられた、前記ランプ本体に対する前記カバーの位置を調整するための位置調整部とを備える。
【０００８】
また、本発明の一態様に係る照明用光源は、発光モジュールを備えるランプ本体と、前記ランプ本体の外側面に設けられた、前記ランプ本体に対するカバーの位置を調整するための位置調整部とを備え、前記カバーは、前記ランプ本体の外方、かつ、前記発光モジュールの光出射面側に設けられてもよい。
【発明の効果】
【０００９】
本発明によれば、照明器具などの給電部に取り付けるだけで外観を容易に変更することができ、かつ、汎用性の高い照明用光源を提供することができる。
【図面の簡単な説明】
【００１０】
【図１Ａ】実施の形態１に係る電球形ランプの外観を示す斜視図である。
【図１Ｂ】実施の形態１に係る電球形ランプの外観を示す斜視図である。
【図２】実施の形態１に係る電球形ランプの分解斜視図である。
【図３】実施の形態１に係る電球形ランプが取り付けられた照明器具の断面概要を示す図である。
【図４Ａ】実施の形態１に係る第１カバーの外観を示す斜視図である。
【図４Ｂ】実施の形態１に係る第１カバーの断面図である。
【図５Ａ】実施の形態１に係るランプ本体の外観を示す斜視図である。
【図５Ｂ】実施の形態１に係るランプ本体の上面図である。
【図６Ａ】実施の形態１に係る電球形ランプを照明器具に取り付ける方法を示す図である。
【図６Ｂ】実施の形態１に係る電球形ランプを照明器具に取り付ける方法を示す図である。
【図６Ｃ】実施の形態１に係る電球形ランプを照明器具に取り付ける方法を示す図である。
【図６Ｄ】実施の形態１に係る電球形ランプを照明器具に取り付ける方法を示す図である。
【図６Ｅ】実施の形態１に係る電球形ランプを照明器具に取り付ける方法を示す図である。
【図７】実施の形態１に係る電球形ランプを異なる照明器具に取り付けた様子を示す図である。
【図８】実施の形態２に係るランプ本体とカバー取付具との外観を示す斜視図である。
【図９】実施の形態２に係るランプ本体とカバー取付具とを組み合わせた場合の外観を示す斜視図である。
【図１０】実施の形態２に係るカバー取付具の外観を示す斜視図である。
【図１１】実施の形態２に係るランプ本体とカバー取付具とを組み合わせた場合のランプ本体とカバー取付具との断面図である。
【図１２】実施の形態２の変形例１に係るカバー取付具とカバーとを示す断面図である。
【図１３】実施の形態２の変形例２に係るランプ本体とカバー取付具とを組み合わせた場合のランプ本体とカバー取付具との断面図である。
【図１４】実施の形態２の変形例３に係る延長部材とその使用方法とを示す断面図である。
【図１５】実施の形態３に係る電球形ランプの外観を示す斜視図である。
【図１６】実施の形態３に係る電球形ランプにおけるカバーの位置を調整する方法を説明するための図である。
【図１７】実施の形態４に係る電球形ランプの外観を示す一部切り欠き斜視図である。
【発明を実施するための形態】
【００１１】
以下では、本発明の実施の形態に係る照明用光源について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。また、以下の実施の形態において、略均一又は略一致などの表現を用いている。例えば、略均一は、完全に均一であることを意味するだけでなく、実質的に均一、すなわち、数％程度の誤差を含むことも意味する。他の「略」を用いた表現についても同様である。
【００１３】
以下の各実施の形態及びその変形例では、照明用光源の一例として、電球形ランプ（ＬＥＤ電球）について説明する。
【００１４】
（実施の形態１）
［概要］
まず、本実施の形態に係る電球形ランプ１及び電球形ランプ１が取り付けられる照明器具２００の概要について、図１Ａ〜図３を用いて説明する。
【００１５】
図１Ａ及び図１Ｂは、本実施の形態に係る電球形ランプ１の外観を示す斜視図である。具体的には、図１Ａは、電球形ランプ１を下方から見たときの斜視図である。図１Ｂは、電球形ランプ１を上方から見たときの斜視図である。
【００１６】
図２は、本実施の形態に係る電球形ランプ１の分解斜視図である。なお、図２において、紙面上下方向に沿って描かれた一点鎖線は、電球形ランプ１のランプ軸Ｊ（中心軸）を示している。ランプ軸Ｊとは、電球形ランプ１を照明器具のソケットに取り付ける際の回転中心となる軸である。本実施の形態では、ランプ軸Ｊは、筐体６０、口金８０及びカバー１０１（第１カバー１１０）の回転軸に一致する。
【００１７】
図３は、本実施の形態に係る電球形ランプ１が取り付けられた照明器具２００の断面概要を示す図である。図３においては、照明器具２００と電球形ランプ１との位置関係が分かりやすいように、照明器具２００を断面図で示し、電球形ランプ１を側面図で示している。
【００１８】
なお、以下の説明において、「上」又は「上方」は、電球形ランプ１の口金８０側であり、「下」又は「下方」は、電球形ランプ１のカバー１０１側である。具体的には、図１Ａ及び図１Ｂに示すＺ軸正方向が上方であり、Ｚ軸負方向が下方である。
【００１９】
各図において、Ｚ軸方向は、ランプ軸Ｊに平行な方向である。Ｘ軸方向及びＹ軸方向は、ランプ軸Ｊに直交する面において、互いに直交する２つの方向である。
【００２０】
図１Ａ〜図３に示すように、電球形ランプ１は、ランプ本体１００と、カバー１０１とを備える。
【００２１】
ランプ本体１００は、電球形ランプ１の本体部である。ランプ本体１００は、発光モジュール１０を備え、例えば、可視光（照明光）を出射する。また、電球形ランプ１は、ランプ本体１００の外側面に設けられた、ランプ本体１００に対するカバー１０１の位置（相対位置）を調整するための位置調整部を備える。本実施の形態では、位置調整部は、ランプ本体１００と一体に形成されている。具体的には、位置調整部は、雄ねじ部６１を有する。
【００２２】
カバー１０１は、ランプ本体１００の外方、かつ、発光モジュール１０の光出射面側（具体的には、Ｚ軸負方向）に設けられている。ランプ本体１００から出射された光は、カバー１０１を透過して外部に放出される。また、カバー１０１は、電球形ランプ１の外観を規定する部材である。カバー１０１は、雄ねじ部６１に螺合する雌ねじ部１１４を有する。
【００２３】
電球形ランプ１は、ランプ本体１００に対するカバー１０１の位置を調整することができる。具体的には、電球形ランプ１は、ランプ軸Ｊ上における、発光モジュール１０（又は、ランプ本体１００の先端若しくは口金８０）とカバー１０１の光出射面との間の距離を変更することができる。これにより、電球形ランプ１は、ランプ本体１００とカバー１０１とを近付けた状態で、又は、遠ざけた状態で照明器具２００などに取り付けることができる。
【００２４】
なお、照明器具２００は、例えば、ダウンライトなどの埋込型照明器具である。図３に示すように、照明器具２００は、天井２１０に埋め込まれている。照明器具２００は、ソケット２０１と、器具本体２０２とを備える。
【００２５】
ソケット２０１は、商用電源などの外部電源に接続されている。ソケット２０１は、電球形ランプ１の口金８０がねじ入れられることで、口金８０と電気的及び機械的に接続する。これにより、電球形ランプ１は、ソケット２０１を介して外部から発光モジュール１０を点灯させるための電力を受けることができる。
【００２６】
器具本体２０２は、電球形ランプ１を収容するための空間を形成する。なお、器具本体２０２の深さ（具体的には、Ｚ軸方向の長さ）は、照明器具の種類によって様々に異なっている。
【００２７】
以下では、電球形ランプ１の構成要素について、図面を用いて詳細に説明する。
【００２８】
［ランプ本体］
ランプ本体１００は、図２に示すように、発光モジュール１０と、基台２０と、駆動回路３０と、回路ケース４０と、ヒートシンク５０と、筐体６０と、グローブ７０と、口金８０とを備える。
【００２９】
発光モジュール１０は、所定の色（波長）の光を放出する発光装置である。本実施の形態に係る発光モジュール１０は、例えば、白色光を放出する。
【００３０】
発光モジュール１０は、グローブ７０の内方に配置されている。具体的には、発光モジュール１０は、基台２０に載置されており、駆動回路３０から供給される電力によって発光する。
【００３１】
図２に示すように、発光モジュール１０は、基板１１と、基板１１に実装された発光素子１２とを備える。本実施の形態では、発光モジュール１０は、基板１１とランプ軸Ｊとが交差するように配置されている。
【００３２】
基板１１は、発光素子１２を実装するための実装基板である。基板１１は、例えば、平面視において略円形の基板である。基板１１は、基台２０上に取り付けられている。基板１１としては、例えば、アルミニウムなどの金属の基材に絶縁被覆を施すことで形成されるメタルベース基板、アルミナなどのセラミック材料の焼結体であるセラミックス基板、又は、樹脂材料からなる樹脂基板などが用いられる。なお、基板１１の形状は、円形に限らず、矩形などでもよい。
【００３３】
発光素子１２は、基板１１の片面上に複数個実装されている。本実施の形態では、複数の発光素子１２が、基板１１の下面（Ｚ軸負方向の面）のランプ軸Ｊを中心とする円周上に平面配置されている。各発光素子１２は、主光出射方向を電球形ランプ１の前方（Ｚ軸負方向）に向けた姿勢で実装されている。
【００３４】
本実施の形態に係る発光素子１２は、表面実装（ＳＭＤ：Ｓｕｒｆａｃｅ  Ｍｏｕｎｔ  Ｄｅｖｉｃｅ）型ＬＥＤ素子である。図２に示すように、発光素子１２は、容器１２ａと、容器１２ａ内に配置されたＬＥＤチップ１２ｂと、ＬＥＤチップ１２ｂを封止する封止部材１２ｃとを備える。封止部材１２ｃは、ＬＥＤチップ１２ｂから発せられる光の波長を変換する波長変換材料を含んでいる。
【００３５】
本実施の形態では、ＬＥＤチップ１２ｂとして、例えば、青色光を発する青色ＬＥＤチップが用いられる。青色ＬＥＤチップとしては、例えばＩｎＧａＮ系の材料によって形成された、中心波長が４４０ｎｍ〜４７０ｎｍの窒化ガリウム系の発光素子が用いられる。この場合、封止部材１２ｃは、白色光を放出するために、例えば、ＹＡＧ（イットリウム・アルミニウム・ガーネット）系の黄色蛍光体粒子を波長変換材として含んでいる。
【００３６】
基台２０（モジュールプレート）は、発光モジュール１０を支持する支持部材（支持台）である。基台２０は、例えば、ランプ軸Ｊと直交する平面を有する略円板状の部材である。発光モジュール１０は、止め金具、ねじ又は接着剤などにより基台２０に固定されている。
【００３７】
基台２０は、発光モジュール１０（発光素子１２）で発生する熱を放熱させるための放熱部材（ヒートシンク）としても機能する。したがって、基台２０は、金属材料、又は、熱伝導率の高い樹脂材料によって形成されることが好ましい。これにより、発光モジュール１０で発生した熱をヒートシンク５０に効率良く伝導させることができる。基台２０は、例えば、アルミダイキャストによって成型される。
【００３８】
駆動回路３０は、発光モジュール１０を駆動するための回路ユニットである。本実施の形態に係る駆動回路３０は、発光モジュール１０（発光素子１２）を点灯（発光）させるための電力を発光モジュール１０に供給する点灯回路（電源回路）である。駆動回路３０は、口金８０から供給される交流電力を直流電圧に変換し、発光モジュール１０に供給する。駆動回路３０は、図示しないリード線などによって、発光モジュール１０及び口金８０の各々と電気的に接続されている。
【００３９】
駆動回路３０は、回路ケース４０に収納されている。例えば、駆動回路３０は、ネジ止め、接着又は係合などによって回路ケース４０に固定されている。
【００４０】
回路ケース４０は、駆動回路３０を収納するためのケース部材（内部筐体）である。回路ケース４０は、駆動回路３０を囲むように形成された絶縁性の筒体（絶縁ケース）である。回路ケース４０は、例えば、ポリブチレンテレフタレート（ＰＢＴ）などの絶縁性樹脂材料などを用いて形成される。
【００４１】
ヒートシンク５０は、駆動回路３０を囲むように配置された筒体（筐体）である。具体的には、ヒートシンク５０は、回路ケース４０を介して駆動回路３０を囲んでいる。
【００４２】
ヒートシンク５０は、放熱部として機能する。ヒートシンク５０は、基台２０に接触した状態で基台２０に接続されている。これにより、発光モジュール１０で発生した熱は、基台２０を介してヒートシンク５０に伝導するので、発光モジュール１０の熱を効率良く放熱させることができる。また、ヒートシンク５０は、駆動回路３０で発生する熱を放熱する放熱部材としても機能する。
【００４３】
ヒートシンク５０は、例えば、金属材料などの熱伝導率が高い材料を用いて形成される。例えば、ヒートシンク５０は、回路ケース４０より熱伝導率が高い材料を用いて形成される。
【００４４】
筐体６０は、電球形ランプ１の外郭筐体である。筐体６０の外側面は、ランプ外部（大気中）に露出している。筐体６０は、ヒートシンク５０の周囲を囲むように配置された筒体である。筐体６０の一方の端部（Ｚ軸負方向の端部）には、グローブ７０が接続され、他方の端部（Ｚ軸正方向の端部）には、口金８０が接続されている。
【００４５】
筐体６０は、発光モジュール１０を保持する。本実施の形態では、筐体６０は、ヒートシンク５０、回路ケース４０及び基台２０を介して発光モジュール１０を保持する。
【００４６】
筐体６０は、絶縁性を有する。筐体６０は、例えば、ＰＢＴなどの絶縁性樹脂材料を用いて形成される。筐体６０が、金属製のヒートシンク５０及び駆動回路３０を囲むことで、電球形ランプ１の絶縁性を向上させることができる。
【００４７】
本実施の形態では、図２に示すように、筐体６０の外側面には、位置調整部（具体的には、雄ねじ部６１）が設けられている。雄ねじ部６１の詳細については、図５Ａ及び図５Ｂを用いて後で説明する。
【００４８】
グローブ７０は、発光モジュール１０の光出射面側に設けられた透光性を有するカバーである。グローブ７０は、発光モジュール１０から放出される光をランプ外部に取り出すように形成されている。つまり、グローブ７０の内面に入射した発光モジュール１０から放出される光は、グローブ７０を透過してグローブ７０の外部へと取り出される。
【００４９】
グローブ７０は、例えば、筐体６０の端部に嵌め入れられている。あるいは、グローブ７０は、接着剤などを用いて筐体６０の端部に接着されていてもよい。
【００５０】
グローブ７０は、例えば、ランプ軸Ｊを中心とする中空の回転体である。本実施の形態では、グローブ７０は、扁平な回転楕円体であるが、これに限らない。グローブ７０は、略半球体などのいかなる形状でもよい。
【００５１】
グローブ７０は、例えば、シリカガラスなどのガラス材料、又は、アクリル（ＰＭＭＡ）若しくはポリカーボネート（ＰＣ）などの樹脂材料から形成される。なお、グローブ７０には、発光モジュール１０から放出される光を拡散させるための拡散処理が施されていてもよい。
【００５２】
口金８０は、発光モジュール１０（発光素子１２）を発光させるための電力をランプ外部から受電する受電部である。口金８０は、例えば、照明器具２００のソケット２０１に取り付けられる。これにより、口金８０は、電球形ランプ１を点灯させる際に、照明器具２００のソケット２０１から電力を受けることができる。
【００５３】
口金８０は、金属製の有底筒体である。本実施の形態では、口金８０は、ねじ込み式のエジソンタイプ（Ｅ型）の口金である。例えば、口金８０として、Ｅ２６形、Ｅ１７形又はＥ１６形などを用いることができる。また、口金８０として、差し込み式の口金を用いてもよい。
【００５４】
［カバー］
カバー１０１は、図１Ａ〜図３に示すように、第１カバー１１０と、第２カバー１２０とを備える。本実施の形態では、カバー１０１は、第１カバー１１０と第２カバー１２０とが組み合わされることで形成される。このようにカバー１０１は、分離可能な２つの部材（第１カバー１１０及び第２カバー１２０）から形成されているが、これに限らない。カバー１０１は、一体に形成されていてもよい。
【００５５】
図４Ａは、本実施の形態に係る第１カバー１１０の外観を示す斜視図である。図４Ｂは、本実施の形態に係る第１カバー１１０の断面図である。なお、図４Ｂは、第１カバー１１０のランプ軸Ｊを通る断面（例えば、ＸＺ面）を示している。
【００５６】
第１カバー１１０は、図４Ａ及び図４Ｂに示すように、筒状部１１１と、雌ねじ部１１４と、板状部１１５と、リブ１１６と、被係止部１１７と、把持部１１８とを備える。
【００５７】
筒状部１１１は、ランプ本体１００が挿入される筒状の部分である。本実施の形態では、筒状部１１１は、ランプ軸Ｊを中心とする略円筒部である。筒状部１１１の内側面には、雌ねじ部１１４が設けられている。
【００５８】
筒状部１１１は、第１開口１１２及び第２開口１１３を有する。第１開口１１２は、ランプ本体１００の口金８０側の開口である。第２開口１１３は、第２カバー１２０側の開口である。ランプ本体１００は、グローブ７０を先端として第１開口１１２から挿入される。筒状部１１１をランプ本体１００に対して回転させることで、雄ねじ部６１と雌ねじ部１１４とが螺合して、ランプ本体１００を挿入方向（Ｚ軸負方向）に進行させることができる。
【００５９】
雌ねじ部１１４は、ランプ本体１００の外側面に設けられた雄ねじ部６１に螺合する。雌ねじ部１１４は、図４Ｂに示すように、凸部１１４ａを有する。
【００６０】
凸部１１４ａは、雄ねじ部６１と雌ねじ部１１４とを螺合させる際の回転を規制する規制部の一例である。規制部は、回転方向に所定の力以下の力（具体的には、トルク）が加えられた場合に、当該回転を規制し、当該所定の力より大きな力が加えられた場合には、回転を規制しない。
【００６１】
簡単に言い換えると、雄ねじ部６１と雌ねじ部１１４とを螺合させる際に、ランプ本体１００に対して第１カバー１１０を弱い力で回転させた場合に、ランプ本体１００は、規制部による回転の規制によって挿入が制限される。この場合に、より強い力で第１カバー１１０を回転させた場合には、ランプ本体１００は、規制部による回転の規制を超えて、第１カバー１１０へ挿入される。
【００６２】
上記の所定の力は、回転を規制するか否かの基準となる閾値である。当該所定の力は、例えば、口金８０がソケット２０１に接続するのに必要な力より大きい。これにより、ランプ本体１００の照明器具２００への取り付けと、ランプ本体１００へのカバー１０１の取り付けとを連続して行うことができる。なお、取り付けの詳細については、図６Ａ〜図６Ｅを用いて後で説明する。
【００６３】
凸部１１４ａは、雌ねじ部１１４のねじの谷に設けられた内方に突出する凸部である。ねじの谷に凸部１１４ａが設けられているので、凸部１１４ａは、雄ねじ部６１のねじの山を押圧する力を雄ねじ部６１に対して加える。これにより、凸部１１４ａがない部分に比べて、雄ねじ部６１に大きな摩擦力が加わる（あるいは、引っ掛かりが発生する）ので、ランプ本体１００に対する第１カバー１１０の回転が規制される。
【００６４】
本実施の形態では、図４Ｂに示すように、凸部１１４ａは、筒状部１１１の第１開口１１２の近傍に設けられている。ランプ本体１００は、第１開口１１２から挿入されるので、挿入されてすぐに凸部１１４ａによって回転が規制される。すなわち、ランプ本体１００の挿入が制限される。雄ねじ部６１が凸部１１４ａを超えた後は、回転は規制されることなく、ランプ本体１００の挿入をスムーズに行うことができる。
【００６５】
なお、凸部１１４ａは、雌ねじ部１１４のねじの山に設けられていてもよい。この場合、凸部１１４ａは、雄ねじ部６１のねじの谷を押圧する力を雄ねじ部６１に対して加えることができる。これにより、同様にして、ランプ本体１００に対する第１カバー１１０の回転を規制することができる。
【００６６】
板状部１１５は、筒状部１１１の第２開口１１３側に設けられた板状の部分である。本実施の形態では、板状部１１５は、ランプ軸Ｊを中心としてランプ軸Ｊに略直交する略円板である。具体的には、板状部１１５は、図４Ｂに示すように、中心から外周端に向かうにつれてＺ軸負方向に傾斜している。
【００６７】
板状部１１５は、電球形ランプ１が照明器具２００に取り付けられた場合に、照明器具２００の器具本体２０２を覆う。なお、板状部１１５の下面は、光反射性を有してもよい。これにより、ランプ本体１００から出射された光を反射させて、効率良く第２カバー１２０から外部へ放出させることができる。
【００６８】
リブ１１６は、板状部１１５の上面に立設するように設けられている。本実施の形態では、平面視において、複数のリブ１１６がランプ軸Ｊを中心として放射状に設けられている。リブ１１６は、電球形ランプ１が照明器具２００に取り付けられた場合に、天井２１０（及び器具本体２０２）に当接する。
【００６９】
被係止部１１７は、第２カバー１２０の爪部１２１によって係止される部分である。本実施の形態では、被係止部１１７は、平面視において対称な位置に複数の被係止部１１７（図４Ａの例では６個）が設けられている。
【００７０】
被係止部１１７は、板状部１１５の端面から中心に向かって凹んだ凹部である。被係止部１１７には、爪部１２１が挿入されて係止される。
【００７１】
把持部１１８は、第１カバー１１０をランプ本体１００に取り付ける際に、ユーザなどによって把持される部分である。具体的には、把持部１１８は、雄ねじ部６１と雌ねじ部１１４とを螺合させる際に把持される部分である。つまり、ユーザは、把持部１１８を把持し、第１カバー１１０を回転させることで、第１カバー１１０をランプ本体１００に取り付ける。詳細については、図６Ａ〜図６Ｅを用いて後で説明する。
【００７２】
第１カバー１１０は、例えば、透光性を有する樹脂材料を用いた射出成形などにより一体に形成される。あるいは、第１カバー１１０は、金属材料から形成されてもよい。また、第１カバー１１０は、複数の構成要素を組み合わせて形成されてもよい。例えば、筒状部１１１と、板状部１１５とは別体であり、これらを組み合わせることで第１カバー１１０が形成されてもよい。
【００７３】
第２カバー１２０は、透光性を有するカバーである。第２カバー１２０は、ランプ本体１００から出射された光を透過して、外部に放出する。
【００７４】
第２カバー１２０は、第１カバー１１０の下面を覆うように設けられている。図３に示すように、第２カバー１２０は、電球形ランプ１を照明器具２００に取り付けた場合に、天井２１０より下方に位置し、ユーザが視認可能な部材である。つまり、第２カバー１２０は、電球形ランプ１の外観を規定する部材である。したがって、第２カバー１２０の形状を異ならせることにより、電球形ランプ１の外観を変更することができる。
【００７５】
図１Ｂに示すように、第２カバー１２０は、爪部１２１を有する。本実施の形態では、平面視において対称な位置に複数の爪部１２１（図１Ｂの例では６個）が設けられている。
【００７６】
爪部１２１は、第１カバー１１０の被係止部１１７に係止する。これにより、第２カバー１２０は、第１カバー１１０に取り付けることができる。また、第２カバー１２０は、容易に第１カバー１１０から取り外すことができるので、電球形ランプ１の外観を容易に変更することができる。
【００７７】
第２カバー１２０は、例えば、アクリル又はポリカーボネートなどの透光性を有する樹脂材料を用いた射出成形などにより一体に形成される。あるいは、第２カバー１２０は、シリカガラスなどのガラス材料から形成されてもよい。
【００７８】
［位置調整部（ねじ部）］
続いて、ランプ本体１００に設けられた位置調整部（雄ねじ部６１）について、図５Ａ及び図５Ｂを用いて説明する。
【００７９】
図５Ａは、本実施の形態に係るランプ本体１００の外観を示す斜視図である。図５Ｂは、本実施の形態に係るランプ本体１００の上面図である。
【００８０】
筐体６０は、図５Ａに示すように、ランプ軸Ｊに沿った方向（Ｚ軸方向）に長尺の筒体である。本実施の形態では、図５Ａに示すように、筐体６０は、内径及び外径が略均一の第１円筒部６０ａと、内径及び外径が漸次的に増加する第２円筒部６０ｂとを有する。なお、第１円筒部６０ａ及び第２円筒部６０ｂは、例えば樹脂材料を用いた射出成形などによって一体に形成されている。
【００８１】
第１円筒部６０ａの一方（Ｚ軸正方向）の端部には、口金８０が接続されている。第１円筒部６０ａの他方（Ｚ軸負方向）の端部には、第２円筒部６０ｂの一方の端部が接続されている。第２円筒部６０ｂの他方の端部には、グローブ７０が接続されている。
【００８２】
第２円筒部６０ｂは、Ｚ軸負方向に向かうにつれて、内径及び外径が漸次的に増加する。具体的には、第２円筒部６０ｂは、円錐台状の筒部である。
【００８３】
雄ねじ部６１は、ランプ本体１００の外側面に設けられている。具体的には、雄ねじ部６１は、第２円筒部６０ｂに設けられている。具体的には、雄ねじ部６１は、ランプ本体１００の最大径を有する部分に設けられている。したがって、図５Ｂに示すように、ランプ本体１００を上面視した（口金８０側から見た）場合、雄ねじ部６１がランプ本体１００の外周に相当する。
【００８４】
図５Ａに示すように、雄ねじ部６１は、先端部６２と、緩傾斜部６３と、急傾斜部６４と、終端部６５とを有する。
【００８５】
先端部６２は、雄ねじ部６１のねじの山の先端である。先端部６２は、雄ねじ部６１と雌ねじ部１１４とを螺合させる際に、雌ねじ部１１４のねじの山と最初に螺合する部分である。
【００８６】
緩傾斜部６３は、雄ねじ部６１のねじの山の主要部である。緩傾斜部６３は、ＸＹ平面に対してＺ軸正方向に傾斜している。これにより、雄ねじ部６１と雌ねじ部１１４とを螺合させた場合に、ランプ本体１００を筒状部１１１に挿入することができる。
【００８７】
急傾斜部６４は、雄ねじ部６１と雌ねじ部１１４とを螺合させる際の回転を規制する規制部の一例である。急傾斜部６４は、緩傾斜部６３よりＸＹ平面に対する傾斜の角度が急である。
【００８８】
急傾斜部６４を設けることで、終端部６５の幅（Ｚ軸方向の長さ）、すなわち、雄ねじ部６１のねじの山の幅を分厚くすることができる。これにより、終端部６５と雌ねじ部１１４のねじの谷との間に生じる摩擦力を大きくすることができるので、ランプ本体１００に対する第１カバー１１０の回転を規制することができる。
【００８９】
終端部６５は、雄ねじ部６１のねじの山に設けられた外方に突出する凸部の一例である。つまり、終端部６５は、上述した規制部の一例である。図５Ｂに示すように、終端部６５は、緩傾斜部６３（通常のねじの山）よりも外方に突出している。したがって、終端部６５は、雌ねじ部１１４のねじの谷を押圧する力を雌ねじ部１１４に対して加える。これにより、緩傾斜部６３に比べて、雌ねじ部１１４に大きな摩擦力が加わる（あるいは、引っ掛かりが発生する）ので、ランプ本体１００に対する第１カバー１１０の回転が規制される。
【００９０】
なお、雄ねじ部６１のねじの谷に、外方に突出する凸部が設けられていてもよい。当該凸部は、雌ねじ部１１４のねじの山を押圧する力を雌ねじ部１１４に対して加えることができる。これにより、同様にして、ランプ本体１００に対する第１カバー１１０の回転を規制することができる。
【００９１】
なお、先端部６２の近傍にも、終端部６５及び急傾斜部６４と同様の突出構造を有してもよい。これにより、反対に回転させる場合（すなわち、ランプ本体１００をカバー１０１から抜き出す場合）にも、同様の回転を規制する効果を得ることができる。
【００９２】
［取り付け方法］
続いて、本実施の形態に係る電球形ランプ１を照明器具２００に取り付ける方法について、図６Ａ〜図６Ｅを用いて説明する。図６Ａ〜図６Ｅは、本実施の形態に係る電球形ランプ１を照明器具２００に取り付ける方法を示す図である。
【００９３】
まず、図６Ａに示すように、ランプ本体１００に第１カバー１１０を取り付ける。具体的には、ユーザは、把持部１１８を手９０で把持して、筒状部１１１の第１開口１１２にランプ本体１００を挿入する。把持部１１８を把持した状態で第１カバー１１０をランプ本体１００に対して回転させることで、ランプ本体１００の雄ねじ部６１と、第１カバー１１０の雌ねじ部１１４とを螺合させる。
【００９４】
本実施の形態では、雄ねじ部６１及び雌ねじ部１１４には規制部が設けられている。具体的には、上述したように、雄ねじ部６１は終端部６５を有し、雌ねじ部１１４は凸部１１４ａを有する。このため、ランプ本体１００と第１カバー１１０とは、ランプ本体１００が第１開口１１２から筒状部１１１に少しだけ挿入された状態で固定される。以下、この状態を「仮固定された状態」と記載する。
【００９５】
ランプ本体１００と第１カバー１１０とが仮固定された状態で、図６Ｂに示すように、ランプ本体１００を照明器具２００に取り付ける。具体的には、ランプ本体１００の口金８０を照明器具２００のソケット２０１に接続する。
【００９６】
このとき、ユーザは、把持部１１８を手９０で把持した状態で第１カバー１１０を所定の力以下の力で回転させる。これにより、第１カバー１１０は、規制部によってランプ本体１００に対する回転が規制される。つまり、第１カバー１１０とランプ本体１００とは、連動して回転する。したがって、第１カバー１１０を回転させることで、ランプ本体１００が回転し、図６Ｃに示すように、口金８０をソケット２０１に接続することができる。
【００９７】
次に、ユーザは、把持部１１８を手９０で把持した状態で第１カバー１１０に対して、所定の力より大きな力を加える。これにより、第１カバー１１０はランプ本体１００に対して回転することができるので、図６Ｄに示すように、ランプ本体１００が固定された状態で、第１カバー１１０のみが回転する。したがって、第１カバー１１０（板状部１１５）とランプ本体１００との距離、すなわち、第１カバー１１０（板状部１１５）と天井２１０との距離を短くすることができる。第１カバー１１０を回転させていくことで、図６Ｅに示すように、第１カバー１１０のリブ１１６が照明器具２００の器具本体２０２に当接する。
【００９８】
最後に、第２カバー１２０を第１カバー１１０に取り付けることで、図３に示すように、照明器具２００に電球形ランプ１を取り付けることができる。
【００９９】
［効果など］
以下では、本実施の形態に係る電球形ランプ１の効果などを説明する。
【０１００】
例えば、ダウンライトなどの照明器具は、照明器具の種別によって、器具本体２０２の深さ、すなわち、ソケット２０１から天井２１０までの距離が異なる場合がある。
【０１０１】
図７は、本実施の形態に係る電球形ランプ１を異なる照明器具に取り付けた様子を示す図である。図７に示すように、照明器具２００では、器具本体２０２の深さがｈ１であるのに対して、照明器具２００ａでは、器具本体２０２ａの深さがｈ２（＞ｈ１）である。
【０１０２】
このとき、上述したように、本実施の形態に係る電球形ランプ１は、発光モジュール１０を備えるランプ本体１００と、ランプ本体１００の外方、かつ、発光モジュール１０の光出射面側に設けられたカバー１０１と、ランプ本体１００の外側面に設けられた、ランプ本体１００に対するカバー１０１の位置を調整するための位置調整部とを備える。
【０１０３】
これにより、ランプ本体１００に対するカバー１０１の位置を変更することができるので、図７に示すように、深さが異なる照明器具にも電球形ランプ１を適用することができる。したがって、本実施の形態に係る電球形ランプ１によれば、汎用性を高めることができる。例えば、照明器具を取り替えなくても、既存の照明器具に電球形ランプ１を適用させることができるので、外観を容易に変更することができる。つまり、電球形ランプ１を変更するだけで、あるいは、カバー１０１を変更するだけで、ダウンライトなどの照明器具の外観を変更することができる。
【０１０４】
また、例えば、位置調整部は、ランプ本体１００の外側面に設けられた雄ねじ部６１を有し、カバー１０１は、雄ねじ部６１に螺合する雌ねじ部１１４を有する。
【０１０５】
これにより、ランプ本体１００に対するカバー１０１の位置を任意の位置に固定させることができる。また、雄ねじ部６１と雌ねじ部１１４とが螺合するので、使用中の振動などにより、カバー１０１がずり落ちるのを抑制することができる。
【０１０６】
また、例えば、雄ねじ部６１及び雌ねじ部１１４の少なくとも一方は、雄ねじ部６１と雌ねじ部１１４とを螺合させる際の回転を規制する規制部を有し、規制部は、回転方向に所定の力以下の力が加えられた場合に当該回転を規制し、所定の力より大きな力が加えられた場合に当該回転を規制しない。また、例えば、規制部は、雄ねじ部６１のねじの山に設けられた外方に突出する終端部６５、又は、雌ねじ部１１４のねじの谷に設けられた内方に突出する凸部１１４ａである。
【０１０７】
これにより、規制部によって回転を規制するので、図６Ａ〜図６Ｅに示したように、ランプ本体１００とカバー１０１とを仮固定させた状態で、ランプ本体１００を照明器具２００に取り付けることができる。したがって、ランプ本体１００とカバー１０１との仮固定は、ランプ本体１００を照明器具２００に取り付けていない状態で行うことができる。例えば、ランプ本体１００とカバー１０１との仮固定をユーザの手元で行うことができるので、容易にランプ本体１００とカバー１０１とを固定することができる。
【０１０８】
また、例えば、位置調整部は、ランプ本体１００と一体に形成されている。
【０１０９】
これにより、部品点数の増加などを抑制し、電球形ランプ１の軽量化及びコストの削減を実現することができる。
【０１１０】
また、例えば、ランプ本体１００は、発光モジュール１０を保持する筐体６０と、発光モジュール１０の光出射面側に設けられた透光性を有するグローブ７０とを備え、位置調整部は、筐体６０の外側面に設けられている。
【０１１１】
これにより、例えば、筐体６０を樹脂材料などから形成する場合には、射出成形による一体成型により位置調整部（雄ねじ部６１）を形成することができる。したがって、位置調整部を形成するための追加工程などは必要がなく、容易に電球形ランプ１を製造することができる。
【０１１２】
（実施の形態２）
続いて、実施の形態２に係る電球形ランプについて説明する。
【０１１３】
実施の形態１では、ランプ本体と位置調整部とが一体に形成されている場合について説明したが、本実施の形態では、ランプ本体と位置調整部とが別体で形成されている場合について説明する。
【０１１４】
図８は、本実施の形態に係るランプ本体３００とカバー取付具３９０との外観を示す斜視図である。図９は、本実施の形態に係るランプ本体３００とカバー取付具３９０とを組み合わせた場合の外観を示す斜視図である。
【０１１５】
図８及び図９に示すように、本実施の形態に係る電球形ランプは、ランプ本体３００と、カバー取付具３９０と、カバー１０１（図示せず）とを備える。なお、カバー１０１は、実施の形態１で説明したカバー１０１と同じである。
【０１１６】
ランプ本体３００は、例えば、一般的に市販されている電球形ランプである。実施の形態１に係るランプ本体１００と比較して、筐体６０及びグローブ７０の代わりに、筐体３６０及びグローブ３７０を備える点が異なっている。なお、筐体３６０及びグローブ３７０は、筐体６０及びグローブ７０とは、形状が異なっており、機能などのその他の点は同じであるので説明を省略する。
【０１１７】
筐体３６０は、図８に示すように、雄ねじ部６１は設けられていない。その代わりに、図９に示すように、筐体３６０の外側面には、着脱可能なカバー取付具３９０が設けられている。
【０１１８】
［カバー取付具］
図１０は、本実施の形態に係るカバー取付具３９０の外観を示す斜視図である。
【０１１９】
カバー取付具３９０は、本実施の形態に係る位置調整部である。カバー取付具３９０は、カバー１０１をランプ本体３００に取り付けるための部材である。
【０１２０】
カバー取付具３９０は、ランプ本体３００が挿入される筒状の部材である。本実施の形態では、カバー取付具３９０は、ランプ軸Ｊを中心とする略円筒体である。カバー取付具３９０は、ランプ本体３００の外形に沿った形状を有する。
【０１２１】
図１０に示すように、カバー取付具３９０は、雄ねじ部６１と、爪部３９１とを備える。雄ねじ部６１は、カバー取付具３９０の外側面に設けられている。雄ねじ部６１の機能及び形状などは、実施の形態１と同様である。
【０１２２】
爪部３９１は、カバー取付具３９０の内側面に設けられている。爪部３９１は、ランプ本体３００に係止することで、カバー取付具３９０をランプ本体３００に固定する。
【０１２３】
カバー取付具３９０は、例えば、ＰＢＴなどの樹脂材料を用いた射出成形などにより一体に形成される。なお、カバー取付具３９０は、ランプ本体３００に対して摩擦力の大きな材料を用いてもよい。これにより、雄ねじ部６１と雌ねじ部１１４とを螺合させる際の回転により、ランプ本体３００に対してカバー取付具３９０が回転するのを抑制することができる。つまり、カバー１０１とカバー取付具３９０との共回りを抑制することができる。
【０１２４】
図１１は、本実施の形態に係るランプ本体３００とカバー取付具３９０とを組み合わせた場合のランプ本体３００とカバー取付具３９０との断面図である。具体的には、図１１は、ランプ軸Ｊを通り、かつ、カバー取付具３９０の爪部３９１を通る断面（ＸＺ面）を示している。
【０１２５】
図１１に示すように、カバー取付具３９０の爪部３９１は、ランプ本体３００の筐体３６０とグローブ３７０との接続部分に係止する。つまり、ランプ本体３００には、爪部３９１によって係止される部分を別途設ける必要がなく、従来の電球形ランプをそのまま利用することができる。
【０１２６】
［効果など］
以上のように、本実施の形態に係る電球形ランプでは、例えば、位置調整部は、ランプ本体３００とは別体である。
【０１２７】
これにより、位置調整部がランプ本体３００とは別体であるので、既存のランプ本体３００を用いることができる。したがって、汎用性を高めることができる。
【０１２８】
また、例えば、位置調整部は、カバー１０１をランプ本体３００に取り付けるための、ランプ本体３００の外側面に設けられた着脱可能なカバー取付具３９０である。
【０１２９】
これにより、既存のランプ本体３００にカバー取付具３９０を取り付けるだけで、ランプ本体３００に対するカバー１０１の位置を調整することができる。したがって、本実施の形態に係る電球形ランプによれば、汎用性をより高めることができる。
【０１３０】
［変形例１］
ここで、本実施の形態の変形例１について、図１２を用いて説明する。図１２は、本実施の形態の変形例１に係るカバー取付具３９０ａとカバー３０１ａとを示す断面図である。具体的には、図１２は、ランプ軸Ｊを通る断面（ＸＺ面）を示している。
【０１３１】
本実施の形態（及び実施の形態１）では、位置調整部が雄ねじ部６１を有する例について説明したが、これに限らない。本変形例では、位置調整部は、カバー取付具３９０ａの外側面に設けられた凹凸部３６１ａを有する。
【０１３２】
凹凸部３６１ａは、カバー取付具３９０ａの外側面に設けられている。具体的には、凹凸部３６１ａは、断面形状が三角形の複数の凸部３６２ａが繰り返し連続的に設けられることで形成される。凸部３６２ａは、例えば、一辺を共有する第１斜面３６３ａ及び第２斜面３６４ａを有する。
【０１３３】
第１斜面３６３ａは、下面側（すなわち、カバー３０１ａ側）の斜面である。第２斜面３６４ａは、上面側（すなわち、口金８０側）の斜面である。
【０１３４】
第１斜面３６３ａ及び第２斜面３６４ａの各々の傾斜は、例えば、互いに異なっている。具体的には、第１斜面３６３ａの傾斜は、第２斜面３６４ａの傾斜より緩やかである。これにより、第１斜面３６３ａの傾斜が緩やかであるので、カバー３０１ａをカバー取付具３９０ａに容易に挿入することができる。また、第２斜面３６４ａの傾斜が急であるので、カバー取付具３９０ａに取り付けたカバー３０１ａが落下するのを抑制することができる。
【０１３５】
カバー３０１ａは、電球形ランプ１の外観を規定するための部材である。カバー３０１ａは、実施の形態１に係るカバー１０１とは異なり、透光性を有する第２カバー１２０を備えない。具体的には、カバー３０１ａは、開口が漸次的に大きくなるラッパ状の筒体である。ランプ本体３００から出射される光は、筒内を通って外部に放出される。
【０１３６】
カバー３０１ａは、雌ねじ部１１４の代わりに、凹凸部３１４ａを有する。凹凸部３１４ａは、カバー取付具３９０ａの凹凸部３６１ａに嵌合する。凹凸部３１４ａの形状は、例えば、凹凸部３６１ａの形状と対称である。つまり、凹凸部３１４ａの凸部は、傾斜が緩い第１斜面が上面側の斜面であり、傾斜が急な第２斜面が下面側の斜面である。
【０１３７】
本変形例では、カバー３０１ａをカバー取付具３９０ａに押し込むことで取り付けることができる。具体的には、互いの第１斜面同士が接触して互いに押圧するので、例えば、凹凸部３１４ａは、凹凸部３６１ａによって外方に押圧される。当該押圧によってカバー３０１ａ（又はカバー取付具３９０ａ）が弾性変形し、凹凸部３１４ａは、凸部３６２ａを１つずつ越えていくことができる。カバー３０１ａを押しこむ力を加えるのを止めた場合、力を加えるのを止めた位置で、凹凸部３１４ａと凹凸部３６１ａとが互いに嵌合するので、カバー３０１ａを固定することができる。
【０１３８】
以上のように、位置調整部が凹凸部である場合であっても、ランプ本体３００に対するカバー３０１ａの位置を変更することができる。また、カバー３０１ａの形状についても限定されない。
【０１３９】
［変形例２］
次に、本実施の形態の変形例２について、図１３を用いて説明する。図１３は、本変形例に係るランプ本体３００ｂとカバー取付具３９０ｂとを組み合わせた場合のランプ本体３００ｂとカバー取付具３９０ｂとの断面図である。具体的には、図１３は、ランプ軸Ｊに直交する断面（ＸＹ面）であって、筐体３６０ｂとカバー取付具３９０ｂとを通る断面を示している。
【０１４０】
本変形例に係るカバー取付具３９０ｂは、内側面から内方に突出した凸部３９２を有する。筐体３６０ｂは、凸部３９２に嵌合する凹部３６１ｂを有する。凹部３６１ｂは、筐体３６０ｂの外側面から内方に凹んでいる。
【０１４１】
なお、本変形例では、２つの凸部３９２及び２つの凹部３６１ｂが対称な位置に設けられている。凸部３９２及び凹部３６１ｂの数及び配置などは、これに限らない。
【０１４２】
凸部３９２と凹部３６１ｂとが嵌合することで、ランプ軸Ｊを中心とする回転が抑制される。したがって、カバー１０１を回転させたときに、ランプ本体３００ｂに対してカバー取付具３９０ｂが回転するのを抑制することができる。つまり、カバー取付具３９０ｂとカバー１０１との共回りを抑制することができるので、カバー１０１の位置を容易に変更することができる。
【０１４３】
なお、本実施の形態では、凸部３９２に嵌合する凹部３６１ｂを筐体３６０ｂに設ける例を示したが、これに限らない。例えば、凹部３６１ｂは、グローブ３７０に設けてもよい。また、ランプ本体３００ｂに凸部３９２を設け、カバー取付具３９０ｂに凹部３６１ｂを設けてもよい。
【０１４４】
［変形例３］
次に、本実施の形態の変形例３について、図１４を用いて説明する。図１４は、本変形例に係る延長部材３９５とその使用方法とを示す断面図である。具体的には、図１４は、ランプ軸Ｊを通る断面（ＸＺ面）を示している。
【０１４５】
本変形例に係る電球形ランプは、実施の形態２の構成に加えて、延長部材３９５を備える。
【０１４６】
延長部材３９５は、カバー取付具３９０とカバー１０１との間に着脱可能に設けられる。図１４に示すように、延長部材３９５は、ランプ軸Ｊを中心とする筒状の部材である。本実施の形態では、延長部材３９５は、径大部３９５ａと、径小部３９５ｂとを有する。
【０１４７】
径大部３９５ａは、内径（中心（ランプ軸Ｊ）からねじの谷までの距離）がカバー取付具３９０の外径（中心からねじの山までの距離）に略一致する円筒部である。径大部３９５ａの内側面には、雌ねじ部１１４が設けられている。
【０１４８】
径小部３９５ｂは、外径（中心（ランプ軸Ｊ）からねじの山までの距離）がカバー取付具３９０の外径（中心からねじの山までの距離）に略一致する円筒部である。径小部３９５ｂの外側面には、雄ねじ部６１が設けられている。
【０１４９】
上述したように、雌ねじ部１１４と雄ねじ部６１とは螺合する。したがって、１つの延長部材３９５の径小部３９５ｂには、他の延長部材３９５の径大部３９５ａを取り付けることができる。
【０１５０】
したがって、延長部材３９５を用いることで、ランプ本体３００に対するカバー１０１の位置の調整可能な範囲を大きくすることができる。例えば、図１４に示すように、延長部材３９５を複数用いることで、制限なくランプ本体３００に対するカバー１０１の位置を変更することができる。
【０１５１】
（実施の形態３）
続いて、実施の形態３に係る電球形ランプについて説明する。
【０１５２】
実施の形態１では、位置調整部が雄ねじ部６１を有する例について示したが、本実施の形態では、位置調整部は、少なくとも一部がランプ本体の外側面及びカバーの一方に固定された紐部を有する。
【０１５３】
図１５は、本実施の形態に係る電球形ランプ２の斜視図である。
【０１５４】
図１５に示すように、電球形ランプ２は、ランプ本体３００と、カバー５０１とを備える。また、電球形ランプ２は、位置調整部として、カバー取付具４９０と、紐部４９５とを備える。なお、ランプ本体３００は、実施の形態２で説明したランプ本体３００と同じである。
【０１５５】
カバー取付具４９０は、ランプ本体３００の外側面に設けられた位置調整部の一部である。カバー取付具４９０は、実施の形態２に係るカバー取付具３９０と比較して、雄ねじ部３９０の代わりに、滑車部４９１を有する点が異なっている。本実施の形態では、カバー取付具４９０は、複数の滑車部４９１を有する。具体的には、３つの滑車部４９１が対称な位置に設けられている。
【０１５６】
カバー５０１は、電球形ランプの外観を規定するための部材である。カバー５０１は、例えば、透光性を有する略円板である。本実施の形態では、カバー５０１は、複数の滑車部５０２を有する。具体的には、３つの滑車部５０２が対称な位置に設けられている。
【０１５７】
なお、本実施の形態では、３つの滑車部４９１及び３つの滑車部５０２がそれぞれ正三角形状に配置されている。これにより、カバー５０１をバランス良く支えることができる。例えば、カバー５０１をランプ軸Ｊに直交する姿勢を保ったまま、カバー５０１の位置を変更することができる。
【０１５８】
カバー５０１は、図１５に示すように、固定部５０３を備える。固定部５０３は、紐部４９５の一端を固定する。固定部５０３は、例えば、止め金具、ねじ又は接着剤である。あるいは、固定部５０３は、カバー５０１に設けられた切り欠き状の凹部でもよい。例えば、紐部４９５は、当該凹部に挟み入れることで固定されてもよい。
【０１５９】
紐部４９５は、一端がカバー５０１に固定された１本の紐である。例えば、ユーザは、紐部４９５の他端を引っ張ることで、カバー５０１の位置を変更することができる。なお、紐部４９５の他端は、ランプ本体３００の外側面に固定されていてもよい。
【０１６０】
紐部４９５は、例えば、ナイロンなどの合成繊維などから形成される。紐部４９５は、透光性を有してもよい。紐部４９５は、金属製のワイヤーでもよい。
【０１６１】
紐部４９５は、カバー取付具４９０の３つの滑車部４９１とカバー５０１の３つの滑車部５０２とを交互に通過するように引き回されている。滑車部４９１及び滑車部５０２により、紐部４９５を引っ張る力をカバー５０１の移動方向（Ｚ軸方向）に向けることができる。また、滑車部４９１及び滑車部５０２によって、紐部４９５を滑らかに動かすことができるので、カバー５０１の位置を容易に調整することができる。
【０１６２】
図１６は、本実施の形態に係る電球形ランプ２におけるカバー５０１の位置を調整する方法を説明するための図である。
【０１６３】
図１６に示すように、ユーザは、紐部４９５の他端を引っ張ることで、カバー５０１をランプ本体３００に近付けることができる。引っ張る量が多い程、カバー５０１はランプ本体３００に近付く。したがって、ランプ本体３００を照明器具２００に取り付けた後、ユーザは、紐部４９５を引っ張る。紐部４９５を引く量を調整することで、適切な位置にカバー５０１を配置することができる。
【０１６４】
なお、カバー５０１の位置を調整した後、紐部４９５は、ランプ本体３００、カバー５０１又は照明器具２００などに固定される。これにより、カバー５０１がずり落ちるのを抑制することができる。
【０１６５】
以上のように、本実施の形態に係る電球形ランプでは、例えば、位置調整部は、少なくとも一部がランプ本体３００の外側面及びカバー５０１の一方に固定された紐部４９５を有する。
【０１６６】
これにより、位置調整部が紐部４９５を有する場合であっても、ランプ本体３００に対するカバー５０１の位置を変更することができる。
【０１６７】
なお、本実施の形態では、１本の紐を用いてカバー５０１の位置を調整する例について示したが、これに限らない。紐部４９５は、複数の紐を有してもよい。例えば、複数の紐の各々を引っ張ることで、カバー５０１の位置を調整することができる。
【０１６８】
また、本実施の形態では、滑車部４９１及び滑車部５０２を設けたが、これに限らない。例えば、滑車部４９１及び滑車部５０２の代わりに各々の軸部のみを設けてもよい。
【０１６９】
また、本実施の形態では、カバー取付具４９０を備える例について示したが、これに限らない。ランプ本体３００に滑車部４９１を設けてもよい。あるいは、ランプ本体３００に紐部４９５を固定してもよい。
【０１７０】
（実施の形態４）
続いて、実施の形態４に係る電球形ランプについて説明する。
【０１７１】
実施の形態１では、位置調整部が雄ねじ部６１を有する例について示したが、本実施の形態では、位置調整部は、ランプ本体の外側面から光出射方向に延伸した棒部を有する。
【０１７２】
図１７は、本実施の形態に係る電球形ランプ３の一部切り欠き斜視図である。具体的には、図１７は、カバー６０１の凸部６１１の先端部分を切り欠いて示している。
【０１７３】
図１７に示すように、電球形ランプ３は、ランプ本体６００と、カバー６０１とを備える。ランプ本体６００は、実施の形態２に係るランプ本体３００と比較して、グローブ３７０の代わりに棒部６９０を備える。
【０１７４】
棒部６９０は、ランプ本体６００の外側面から光出射方向（Ｚ軸負方向）に延伸している。本実施の形態では、発光モジュール１０の中心から光出射方向に延伸している。棒部６９０は、発光モジュール１０に固定されている。あるいは、棒部６９０は、発光モジュール１０を貫通し、筐体３６０の内部に固定されていてもよい。
【０１７５】
棒部６９０は、例えば、透光性を有する樹脂材料から形成される。これにより、発光モジュール１０を点灯させたときに、棒部６９０が光を遮るのを抑制することができる。
【０１７６】
棒部６９０の外側面には、雄ねじ部６９１が設けられている。雄ねじ部６９１は、例えば、実施の形態１に係る雄ねじ部６１と同様である。
【０１７７】
カバー６０１は、電球形ランプ３の外観を規定するための部材である。カバー６０１は、例えば、第１カバー６１０と、第２カバー１２０とを備える。第１カバー６１０は、実施の形態１に係る第１カバー１１０と比較して、筒状部１１１の代わりに筒状部６１１を有する。第１カバー６１０は、例えば、透光性を有する樹脂材料を用いた射出成形などにより一体に形成される。
【０１７８】
筒状部６１１は、棒部６９０が挿入される筒状の部分である。本実施の形態では、筒状部６１１は、ランプ軸Ｊを中心とする略円筒体である。筒状部６１１の内側面には、雌ねじ部６１４が設けられている。
【０１７９】
雌ねじ部６１４は、雄ねじ部６９１に螺合する。雌ねじ部６１４は、例えば、実施の形態１に係る雌ねじ部１１４と同様である。
【０１８０】
これにより、雄ねじ部６９１と雌ねじ部６１４とを螺合させることで、ランプ本体６００に対するカバー６０１の位置を変更することができる。なお、ランプ本体６００とカバー６０１との取り付け方法などは、実施の形態１と同様である。
【０１８１】
以上のように、本実施の形態に係る電球形ランプ３では、例えば、位置調整部は、ランプ本体６００の外側面から光出射方向に延伸した棒部６９０を有する。
【０１８２】
これにより、位置調整部が棒部６９０を有する場合であっても、ランプ本体６００に対するカバー６０１の位置を変更することができる。
【０１８３】
なお、本実施の形態では、棒部６９０は、ランプ軸Ｊに沿って設けられているが、これに限らない。例えば、棒部６９０は、平面視（下面視）において発光モジュール１０とは重複しない位置に設けられてもよい。また、複数の棒部６９０が設けられてもよい。
【０１８４】
また、本実施の形態では、電球形ランプ３は、例えば、発光素子１２（ＬＥＤパッケージ）を保護するためのグローブを備えていてもよい。また、第１カバー１１０を発光素子１２の保護用のカバーとして利用してもよい。この場合、雌ねじ部６１４を第２カバー１２０に設けてもよい。
【０１８５】
（その他）
以上、本発明に係る照明用光源について、上記の実施の形態及びその変形例に基づいて説明したが、本発明は、上記の実施の形態に限定されるものではない。
【０１８６】
例えば、上記の実施の形態では、筐体６０に位置調整部が設けられた例を示したが、これに限らない。ランプ本体１００の外側面に位置調整部が設けられていればよく、例えば、グローブ７０に位置調整部が設けられていてもよい。具体的には、グローブ７０は、外側面に雄ねじ部６１が設けられていてもよい。
【０１８７】
あるいは、ランプ本体１００は、筐体６０を備えていなくてもよい。この場合、ヒートシンク５０が外郭筐体として機能するので、ヒートシンク５０の外側面に位置調整部が設けられていてもよい。また、ランプ本体１００は、筐体６０及びヒートシンク５０の両方を備えていなくてもよい。この場合、回路ケース４０が外郭筐体として機能するので、回路ケース４０の外側面に位置調整部が設けられていてもよい。
【０１８８】
例えば、上記の実施の形態では、雄ねじ部６１及び雌ねじ部１１４の両方に規制部を設ける例について示したが、これに限らない。雄ねじ部６１及び雌ねじ部１１４のいずれか一方に規制部を設けてもよい。例えば、雄ねじ部６１は、急傾斜部６４及び終端部６５を有しなくてもよい。また、例えば、雌ねじ部１１４は、凸部１１４ａを有しなくてもよい。
【０１８９】
また、例えば、上記の実施の形態では、照明用光源が備えるカバー１０１として透光性の第２カバー１２０を備える例について示したが、これに限らない。カバー１０１は、遮光性を有するカバーでもよい。例えば、カバー１０１は、遮光性を有する円筒体、円錐台状筒体などでもよい。つまり、ランプ本体１００が出射する光は、カバー１０１を透過するのではなく、筒内を通過して外部に放射されてもよい。
【０１９０】
このように、カバー１０１の形状、大きさ、材質などは、上記の実施の形態で示した例に限定されない。また、例えば、電球形ランプ１は、カバー１０１を備えなくてもよい。
【０１９１】
また、例えば、上記の実施の形態では、発光素子１２がＳＭＤ型ＬＥＤ素子である例について示したが、これに限らない。例えば、発光モジュール１０は、ベアチップが基板１１上に直接実装されたＣＯＢ（Ｃｈｉｐ  Ｏｎ  Ｂｏａｒｄ）型の発光モジュールでもよい。つまり、発光素子１２として、ＬＥＤチップそのものが採用されてもよい。この場合、封止部材によって、複数のＬＥＤチップを一括又は個別に封止してもよい。封止部材には、上述のように黄色蛍光体などの波長変換材が含有されてもよい。
【０１９２】
また、例えば、上記の実施の形態において、発光素子１２の一例としてＬＥＤを示したが、これに限らない。発光素子１２は、半導体レーザなどの半導体発光素子、有機ＥＬ（Ｅｌｅｃｔｒｏ  Ｌｕｍｉｎｅｓｃｅｎｃｅ）又は無機ＥＬなどの固体発光素子を用いてもよい。
【０１９３】
また、例えば、上記の実施の形態では、照明器具２００の一例としてダウンライトを示し、照明用光源の一例として、口金８０を備える電球形ランプ１を示したが、これに限らない。例えば、照明用光源は、直管形ランプでもよい。あるいは、照明用光源は、天井に設けられた引掛シーリングボディ（シーリングライト用の給電部）の照明用電力供給部に取付可能なランプでもよい。この場合、照明用光源は、口金８０の代わりに、引掛シーリングボディにシーリングライトを取り付けるためのアダプタと同様の構造を有する受電部を備えていればよい。また、照明器具２００は、ペンダント型の照明器具（ペンダントライト）、卓上ライトなど、その他の照明器具でもよい。
【０１９４】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１９５】
１、２、３  電球形ランプ（照明用光源）
１０  発光モジュール
６０、３６０、３６０ｂ  筐体
６１、６９１  雄ねじ部（位置調整部）
６４  急傾斜部（規制部）
６５  終端部（凸部）
７０、３７０  グローブ
１００、３００、３００ｂ、６００  ランプ本体
１０１、３０１ａ、５０１、６０１  カバー
１１４、６１４  雌ねじ部
１１４ａ  凸部（規制部）
３９０、３９０ａ、３９０ｂ、４９０  カバー取付具（位置調整部）
４９５  紐部
６９０  棒部
【図１Ａ】
2016152212.tif 000003
【図１Ｂ】
2016152212.tif 000004
【図２】
2016152212.tif 000005
【図３】
2016152212.tif 000006
【図４Ａ】
2016152212.tif 000007
【図４Ｂ】
2016152212.tif 000008
【図５Ａ】
2016152212.tif 000009
【図５Ｂ】
2016152212.tif 000010
【図６Ａ】
2016152212.tif 000011
【図６Ｂ】
2016152212.tif 000012
【図６Ｃ】
2016152212.tif 000013
【図６Ｄ】
2016152212.tif 000014
【図６Ｅ】
2016152212.tif 000015
【図７】
2016152212.tif 000016
【図８】
2016152212.tif 000017
【図９】
2016152212.tif 000018
【図１０】
2016152212.tif 000019
【図１１】
2016152212.tif 000020
【図１２】
2016152212.tif 000021
【図１３】
2016152212.tif 000022
【図１４】
2016152212.tif 000023
【図１５】
2016152212.tif 000024
【図１６】
2016152212.tif 000025
【図１７】
2016152212.tif 000026